(57)【特許請求の範囲】
【請求項１】
通信ネットワーク内の基地局における方法であって、
ＵＥについての複数のＣＳＩプロセスからなるＣＳＩ報告セットを判断するステップであって、前記ＣＳＩ報告セットが複数のＣＳＩフィードバック・モードを含む、ステップと、
前記ＵＥに前記ＣＳＩ報告セットを示すＲＲＣシグナリングを送信するステップと、
前記ＣＳＩ報告セットにおける各ＣＳＩプロセスについてのプリコーディング・コードブック・サブセットおよび／またはランクの制限を示すシグナリングを送信するステップと、
を含み、
前記ＲＲＣシグナリングが、ビットマップ・パラメータによって、前記ＣＳＩ報告セットに含まれる各ＣＳＩフィードバック・モードのプリコーディング・コードブック・サブセット制限を更に示す、
方法。
【請求項２】
ＬＴＥセルラー通信ネットワーク内のＵＥにおける方法であって、
複数のＣＳＩフィードバック・モードを含んだＣＳＩ報告セットを示すＲＲＣシグナリングを受信するステップであって、前記ＲＲＣシグナリングおよび／または追加のＤＣＩシグナリングが、前記ＣＳＩ報告セットにおける各ＣＳＩプロセスについてのプリコーディング・コードブック・サブセットおよび／またはランクの制限をさらに示す、ステップと、
前記ＣＳＩ報告セットにおける各ＣＳＩプロセスについてのプリコーディング・コードブック・サブセットおよび／またはランクの前記制限に従って、ＣＳＩフィードバックのランク特性を判断するステップと、
を含み、
前記ＲＲＣシグナリングが、ビットマップ・パラメータによって、前記ＣＳＩ報告セットに含まれる各ＣＳＩフィードバック・モードのプリコーディング・コードブック・サブセット制限を更に示す、
方法。
【請求項３】
ＬＴＥセルラー通信ネットワーク内の基地局であって、
ＵＥについての複数のＣＳＩプロセスからなる報告セットを判断するように構成された処理ユニットであって、各ＣＳＩプロセスが、チャネル測定のためのＮＺＰ  ＲＳリソースの１つの部分および干渉測定のためのＩＭＲの１つの部分で定義される、処理ユニットと、
前記ＵＥに複数のＣＳＩフィードバック・モードを含んだＣＳＩ報告セットを示すＲＲＣシグナリングを送信するように構成された送信機と、
を含み、
前記ＲＲＣシグナリングおよび／または追加のＤＣＩシグナリングが、前記ＣＳＩ報告セットにおける各ＣＳＩプロセスについてのプリコーディング・コードブック・サブセットおよび／またはランクの制限をさらに示し、
前記ＲＲＣシグナリングが、ビットマップ・パラメータによって、前記ＣＳＩ報告セットに含まれる各ＣＳＩフィードバック・モードのプリコーディング・コードブック・サブセット制限を更に示す、
基地局。
【請求項４】
前記ＲＲＣシグナリングが、パラメータｃｏｄｅｂｏｏｋＳｕｂｓｅｔＲｅｓｔｒｉｃｔｉｏｎによって、前記ＣＳＩ報告セットにおける各ＣＳＩプロセスについてのプリコーディング・コードブック・サブセットの制限をさらに示す、請求項３に記載の基地局。
【請求項５】
前記ＲＲＣシグナリングが、前記ＣＳＩ報告セットにおける各ＣＳＩプロセスについての有効継続期間をさらに示す、請求項４に記載の基地局。
【請求項６】
前記ＲＲＣシグナリングが、前記ＣＳＩ報告セットにおける各ＣＳＩプロセスについてのランクの制限をさらに示す、請求項３に記載の基地局。
【請求項７】
前記送信機が、前記ＵＥに前記ＣＳＩ報告セットにおける各ＣＳＩプロセスについてのランクの制限を示す前記追加のＤＣＩシグナリングを送信するようにさらに構成される、請求項３に記載の基地局。
【請求項８】
前記ＤＣＩシグナリングが、前記ＣＳＩ報告セットにおける各ＣＳＩプロセスについてのランクの前記制限を更新するために使用される、請求項３に記載の基地局。
【請求項９】
前記ＤＣＩシグナリングがＣＳＩ要求フィールドの未定義項目を使用する、請求項３に記載の方法。
【請求項１０】
ＬＴＥ通信ネットワーク内のＵＥであって、
複数のＣＳＩフィードバック・モードを含んだＣＳＩ報告セットを示すＲＲＣシグナリングを受信するように構成された受信機であって、前記ＲＲＣシグナリングおよび／または追加のＤＣＩシグナリングが、前記ＣＳＩ報告セットにおける各ＣＳＩプロセスについてのプリコーディング・コードブック・サブセットおよび／またはランクの制限をさらに示す、受信機と、
前記ＣＳＩ報告セットにおける各ＣＳＩプロセスについてのプリコーディング・コードブック・サブセットおよび／またはランクの前記制限に従って、ＣＳＩフィードバックのランク特性を判断するように構成された処理ユニットと、
を含み、
前記ＲＲＣシグナリングが、ビットマップ・パラメータによって、前記ＣＳＩ報告セットに含まれる各ＣＳＩフィードバック・モードのプリコーディング・コードブック・サブセット制限を更に示す、
ＵＥ。
【請求項１１】
前記処理ユニットが、
プリコーディング・コードブック・サブセットおよび／またはランクの前記制限が、ＣＳＩプロセスについてのプリコーディング・コードブック・サブセットおよびランクの制限がないことを示す場合、前記ＣＳＩプロセスのＣＳＩフィードバックに対してＵＥ優先ランクを選択するように構成される、請求項１０に記載のＵＥ。
【請求項１２】
前記処理ユニットが、
プリコーディング・コードブック・サブセットおよび／またはランクの前記制限が、ＣＳＩプロセスについてのプリコーディング・コードブック・サブセットの制限がない特定のランクを示す場合、前記ＣＳＩプロセスのＣＳＩフィードバックに対して前記特定ランクを選択するように構成される、請求項１０に記載のＵＥ。
【請求項１３】
前記処理ユニットが、
プリコーディング・コードブック・サブセットおよび／またはランクの前記制限が、ＣＳＩプロセスについてのランクの制限がないプリコーディング・コードブック・サブセットの制限を示す場合、前記ＣＳＩプロセスのＣＳＩフィードバックに対して、利用可能なプリコーディング・コードブック・サブセット内のＵＥ優先ランクを選択するように構成される、請求項１０に記載のＵＥ。
【請求項１４】
前記処理ユニットが、
プリコーディング・コードブック・サブセットおよび／またはランクの前記制限が、ＣＳＩプロセスについての特定のランクおよびプリコーディング・コードブック・サブセットの制限を示す場合、前記ＣＳＩプロセスのＣＳＩフィードバックに対して以下のランク、すなわち、
利用可能なプリコーディング・コードブック・サブセットが前記特定のランクを含む場合は、前記特定のランク、
前記特定のランクが最も低いランク未満である場合は、利用可能なプリコーディング・コードブック・サブセットにおける前記最も低いランク、
前記特定のランクが最も高いランクより大きい場合は、利用可能なプリコーディング・コードブック・サブセットにおける前記最も高いランク、および
利用可能なプリコーディング・コードブック・サブセットが前記特定のランクを含まず、前記特定のランクが、利用可能なプリコーディング・コードブック・サブセットにおける前記最も低いランクと前記最も高いランクとの間である場合は、ＵＥ優先ランクまたは利用可能なプリコーディング・コードブック・サブセット内の前記特定のランク未満で該特定のランクに最も近いランク、
を選択するように構成される、請求項１０に記載のＵＥ。
【発明の詳細な説明】
【技術分野】
【０００１】
本発明は一般にモバイル通信技術に関し、より詳細には、ランク情報（ＲＩ）フィードバックに関する。
【背景技術】
【０００２】
ロング・ターム・エボリューション（ＬＴＥ）などの現代のモバイル通信システムでは、基地局は、送信フォーマット、送信ブロック・サイズ、変調・符号化方式、およびダウンリンク（ＤＬ）とアップリンク（ＵＬ）で使用されるべき多入力多出力（ＭＩＭＯ）送信モードを判断する。ＤＬについてそのような判断を行うために、基地局は、ユーザ機器（ＵＥ）からの現在のＤＬチャネルのパフォーマンスについての情報を必要とし、前記情報は一般に、チャネル状態情報（ＣＳＩ：Ｃｈａｎｎｅｌ  Ｓｔａｔｅ  Ｉｎｆｏｒｍａｔｉｏｎ）と呼ばれる。
【０００３】
周波数分割複信（ＦＤＤ）ＤＬ多地点協調（ＣｏＭＰ）送信は、カバレージ・エリア、セル・エッジ・スループット、および／またはスペクトル効率を改善する可能性がある。ＣｏＭＰ送信では、複数のＣＳＩ基準信号リソース（ＣＳＩ−ＲＳリソース）は互いに協調して、１つまたは複数のＵＥのデータを送信する。高ランク送信の高い空間分割多重利得および／またはより良いチャネル品質のために、特定のＵＥは、特に動的ポイント選択（ＤＰＳ：ｄｙｎａｍｉｃ  ｐｏｉｎｔ  ｓｅｌｅｃｔｉｏｎ）または動的ポイント・ブランキング（ＤＰＢ：ｄｙｎａｍｉｃ  ｐｏｉｎｔ  ｂｌａｎｋｉｎｇ）において、シングル・ランク送信よりも高ランク送信を好む場合がある。したがって、ＣｏＭＰにおいて高ランク送信をサポートする必要があるが、従来のＲＩ報告はもはや適用可能ではない。
【発明の概要】
【発明が解決しようとする課題】
【０００４】
本発明の一実施形態の１つの目的は、高ランク送信のネットワーク構成をサポートすることが可能なＲＩ報告モードを提供することである。
【課題を解決するための手段】
【０００５】
本発明の一実施形態によれば、ＬＴＥモバイル通信ネットワークの基地局におけるＵＥのＲＩ報告を制御するための方法が提供される。方法は、ＵＥについてのＣＳＩ報告セットを判断するステップであって、ＣＳＩ報告セットが複数のＣＳＩフィードバック・モード（ＣＳＩプロセス）を含む、ステップと、ＵＥにＣＳＩ報告セットを示す無線リソース制御（ＲＲＣ：Ｒａｄｉｏ  Ｒｅｓｏｕｒｃｅ  Ｃｏｎｔｒｏｌ）シグナリングを送信するステップと、ＵＥにＣＳＩ報告セットにおける各ＣＳＩフィードバック・モードのプリコーディング・コードブック・サブセット制限および／またはランク制限を示すシグナリングを送信するステップとを含む。
【０００６】
本発明の別の実施形態によれば、ＬＴＥモバイル通信ネットワークのＵＥにおけるＣＳＩフィードバックのための方法が提供される。方法は、ＣＳＩ報告セットを示すシグナリングを受信するステップであって、ＣＳＩ報告セットが複数のＣＳＩフィードバック・モードを含む、ステップと、ＣＳＩ報告セットにおける各ＣＳＩフィードバック・モードのプリコーディング・コードブック・サブセット制限および／またはランク制限を示すシグナリングを受信するステップと、ＣＳＩ報告セットにおける各ＣＳＩフィードバック・モードのプリコーディング・コードブック・サブセット制限および／またはランク制限に従って、ＣＳＩフィードバックのランク特性を判断するステップとを含む。
【０００７】
本発明の別の実施形態によれば、ＬＴＥモバイル通信ネットワーク内の基地局が提供される。基地局は、処理ユニットと、送信機とを含む。処理ユニットは、ＵＥについてのＣＳＩ報告セットを判断するように構成され、ＣＳＩ報告セットは複数のＣＳＩフィードバック・モードを含む。送信機は、ＵＥにＣＳＩ報告セットを示すＲＲＣシグナリングを送信するように構成される。送信機は、ＵＥにＣＳＩ報告セットにおける各ＣＳＩフィードバック・モードのプリコーディング・コードブック・サブセット制限および／またはランク制限を示すシグナリングを送信するようにさらに構成される。
【０００８】
本発明の別の実施形態によれば、ＬＴＥモバイル通信ネットワークで使用されるＵＥが提供される。ＵＥは、受信機と、処理ユニットとを含む。受信機は、ＣＳＩ報告セットを示すシグナリングを受信するように構成され、ＣＳＩ報告セットは複数のＣＳＩフィードバック・モードを含む。受信機は、ＣＳＩ報告セットにおける各ＣＳＩフィードバック・モードのプリコーディング・コードブック・サブセット制限および／またはランク制限を示すシグナリングを受信するようにさらに構成される。処理ユニットは、ＣＳＩ報告セットにおける各ＣＳＩフィードバック・モードのプリコーディング・コードブック・サブセット制限および／またはランク制限に従って、ＣＳＩフィードバックのランク特性を判断するように構成される。
【０００９】
上記の実施形態によれば、ＬＴＥモバイル通信ネットワーク内のＣｏＭＰ送信に対してランク選択および高ランク送信がサポートされる。
【００１０】
本発明の以下の詳細な説明をより理解しやすくするために、本発明の技術的な特徴および利点が上記に要約されている。本発明の他の特徴および利点について以下で説明するが、以下は本発明の請求項の主題を形成するものである。開示される概念および実施形態は、本発明と同じ目的を実施するために使用される他の構造または手順を修正または設計するための基礎として容易に使用され得ることが、当業者によって理解されるはずである。等価な構成は添付の特許請求の範囲の趣旨および範囲を逸脱しないことが、当業者によってさらに理解されるはずである。
【００１１】
添付の図面を参照すると、本発明の例示的な実施形態についての以下の詳細な説明がより理解しやすくなる。本発明は例によって示され、添付の図面に限定されない。添付の図面における類似の図面の印は類似の構成要素を示す。
【図面の簡単な説明】
【００１２】
【図１】本発明の一実施形態による、ＬＴＥモバイル通信ネットワーク内のｅＮＢ１０とＵＥ２０との間で実行される方法のフローチャートである。
【図２】本発明の一実施形態による、ＬＴＥモバイル通信ネットワーク内のｅＮＢの構造ブロック図である。
【図３】本発明の一実施形態による、ＬＴＥモバイル通信ネットワーク内のＵＥの構造ブロック図である。
【発明を実施するための形態】
【００１３】
添付の図面の詳細な説明は、本発明の実装形態のみを表すことではなく、本発明の本例示的実施形態を示すことが意図されている。同じまたは等価な機能が、本発明の趣旨および範囲内に含めることが意図された異なる実施形態によって実現され得ることを理解されたい。
【００１４】
本明細書で説明される手段および機能は、プログラム制御マイクロプロセッサと汎用コンピュータを組み合わせるソフトウェア機能を使用することによって実施され得る、および／または特定用途向け集積回路（ＡＳＩＣ）を使用することによって実施され得ることが、当業者によって理解されるはずである。本発明は主に方法および装置の形態で示されるが、本発明は、コンピュータ・プログラム製品と、コンピュータ・プロセッサおよびそのプロセッサに接続されたメモリを含むシステムとによっても具現化され得、メモリは、本明細書で開示される機能を実現し得る１つまたは複数のプログラムを使用することによって符号化されることも理解されたい。
【００１５】
異なるプロトコル規格は基地局を表すための異なる技術用語を有することが、当業者によって理解されるはずである。たとえば、ＬＴＥシステムまたはＬＴＥアドバンスト（ＬＴＥ−Ａ）システムにおける基地局は、ノードＢまたは進化型ノードＢ（ｅＮＢ）と呼ばれる。本発明における基地局は、限定はしないが、ＬＴＥ−ＡシステムにおけるｅＮＢとすることができる。
【００１６】
一般に、ＣＳＩ報告はＵＥによってＵＥのサービングｅＮＢに送信され、サービングｅＮＢはＣＳＩ報告の構成を示す必要がある。ＣｏＭＰ送信では、複数のＣＳＩ−ＲＳリソースは互いに協調して、１つまたは複数のＵＥのデータを送信する。特定のＵＥは、特にＤＰＳまたはＤＰＢにおいて、シングル・ランク送信よりも高ランク送信を好む場合がある。
【００１７】
図１は、本発明の一実施形態による、高ランク送信をサポートする、ＬＴＥモバイル通信ネットワーク内のｅＮＢ１０とＵＥ２０との間でのＣＳＩ報告のための方法のフローチャートである。図１に示すように、方法は、ｅＮＢ１０の側でのステップ１１０および１２０と、ＵＥ２０の側でのステップ２１０および２２０とを含む。
【００１８】
ステップ１１０では、ｅＮＢ１０はＵＥ２０についてのＣＳＩ報告セットを判断し、ＣＳＩ報告セットは複数のＣＳＩフィードバック・モード（ＣＳＩプロセス）を含む。各ＣＳＩフィードバック・モードは、チャネル測定に使用される非ゼロ電力（ＮＺＰ：Ｎｏｎ−ｚｅｒｏ  Ｐｏｗｅｒ）基準信号リソース部分および干渉測定に使用される干渉測定リソース（ＩＭＲ：Ｉｎｔｅｒｆｅｒｅｎｃｅ  Ｍｅａｓｕｒｅｍｅｎｔ  Ｒｅｓｏｕｒｃｅ）部分を含むものとして定義されることに留意されたい。
【００１９】
ステップ１２０では、ｅＮＢ１０はＵＥ２０にＣＳＩ報告セットを示すＲＲＣシグナリングを送信する。
【００２０】
いくつかの実施形態では、ｅＮＢ１０の側での方法は、ＵＥ２０に追加のダウンリンク制御インジケータ（ＤＣＩ：Ｄｏｗｎｌｉｎｋ  Ｃｏｎｔｒｏｌ  Ｉｎｄｉｃａｔｏｒ）シグナリングを送信するステップをさらに含む。ステップ１２０で送信されるＲＲＣシグナリングおよび／または追加のＤＣＩシグナリングは、ＣＳＩ報告セットにおける各ＣＳＩフィードバック・モードのプリコーディング・コードブック・サブセット制限および／またはランク制限をさらに示す。
【００２１】
ステップ２１０では、ＵＥ２０はＣＳＩ報告セットを示すシグナリングを受信し、ＣＳＩ報告セットは複数のＣＳＩフィードバック・モードを含む。
【００２２】
特定の実施形態では、ｅＮＢ２０の側での方法は、ｅＮＢ１０から追加のＤＣＩシグナリングを受信するステップをさらに含む。上記で述べたように、ステップ２１０で受信されたＲＲＣシグナリングおよび／または追加のＤＣＩシグナリングは、ＣＳＩ報告セットにおける各ＣＳＩフィードバック・モードのプリコーディング・コードブック・サブセット制限および／またはランク制限をさらに示す。
【００２３】
ステップ２２０では、ＵＥ２０は、ＣＳＩ報告セットにおける各ＣＳＩフィードバック・モードのプリコーディング・コードブック・サブセット制限および／またはランク制限に従って、ＣＳＩフィードバックのランク特性を判断する。
【００２４】
一実施形態では、ステップ１２０で送信されたＲＲＣシグナリングは、ビットマップ・パラメータ、たとえば、パラメータｃｏｄｅｂｏｏｋＳｕｂｓｅｔＲｅｓｔｒｉｃｔｉｏｎによって、ＣＳＩ報告セットにおける各ＣＳＩフィードバック・モードのプリコーディング・コードブック・サブセット制限をさらに示す。好ましくは、そのようなビットマップ・パラメータは、各ＣＳＩフィードバック・モードについて構成され得る。プリコーディング・コードブックは異なるランクに対応する複数の要素（またはサブセット）を有するので、１より大きいランクに対応する利用可能な要素（サブセット）は高ランク送信のサポートを意味する。プリコーディング・コードブック・サブセット制限を有するＣＳＩ報告セットの２つの例示的構成を表１−１および表１−２に示す。
【００２５】
【表１】
0006038317.tif 000002
【００２６】
【表２】
0006038317.tif 000003
【００２７】
別の実施形態では、ステップ１２０で送信されたＲＲＣシグナリングは、ＣＳＩ報告セットにおける各ＣＳＩフィードバック・モードの有効期間をさらに示す。有効期間は、たとえば、連続サブフレームの数を示す数字によって表される。有効期間情報およびプリコーディング・コードブック・サブセット制限を有するＣＳＩ報告セットの例示的構成を表２に示す。
【００２８】
【表３】
0006038317.tif 000004
【００２９】
一実施形態では、ステップ１２０で送信されたＲＲＣシグナリングは、ＣＳＩ報告セットにおける各ＣＳＩフィードバック・モードのランク制限をさらに示す。ランク制限は、各ＣＳＩフィードバック・モードの特定のランクに対する制限なしまたは制限を個別に示すことができる。特定のランクについて、たとえば、ランクが１であるとき、ランクは「ｅＮＢ優先ランク」とマークされ得る。各ＣＳＩフィードバック・モードのランク制限の例示的構成を表３に示す。
【００３０】
【表４】
0006038317.tif 000005
【００３１】
一実施形態では、ｅＮＢ１０によってＵＥ２０に送信された追加のＤＣＩシグナリングは、ＣＳＩ報告セットにおける各ＣＳＩフィードバック・モードのランク制限を示す。ＲＲＣシグナリングによって示されるＣＳＩ報告セットの構成およびＤＣＩシグナリングによって示されるＣＳＩ報告セットにおける各ＣＳＩフィードバック・モードに対応するランク制限の構成を表４−１および表４−２に示す。場合によっては、ＤＣＩシグナリングは、ＣＳＩ報告セットにおける各ＣＳＩフィードバック・モードのランク制限を更新するために使用され得る。
【００３２】
【表５】
0006038317.tif 000006
【００３３】
【表６】
0006038317.tif 000007
＃１  表４−２  ＤＣＩシグナリングによって示されるＣＳＩフィードバック・モードのランク制限の例示的構成
＃２  ＣＳＩプロセス
＃３  ランク制限
＃４  「制限なし」
＃５  「ｅＮＢ優先ランク」
【００３４】
一実施形態では、ステップ１２０で送信されたＲＲＣシグナリングは、ＣＳＩ報告セットにおけるすべてのＣＳＩフィードバック・モードに対する同じランク制限をさらに示す。そのようなランク制限は、制限なしを示すか、またはＣＳＩ報告セットの共通ランクを示すことができ、共通ランクは、たとえば、１である。ＣＳＩ報告セットのランク制限の例示的構成を表５−１に示す。
【００３５】
【表７】
0006038317.tif 000008
【００３６】
別の実施形態では、ｅＮＢ１０によってＵＥ２０に送信された追加のＤＣＩシグナリングは、ＣＳＩ報告セットにおけるすべてのＣＳＩフィードバック・モードに対する同じランク制限を示す。ランク制限は制限なしを示すか、またはＣＳＩ報告セットの共通ランクを示すことができ、共通ランクは、たとえば、１である。ＲＲＣシグナリングによって示されるＣＳＩ報告セットの構成およびＤＣＩシグナリングによって示されるＣＳＩ報告セットのランク制限の構成を表５−２および表５−３に示す。
【００３７】
【表８】
0006038317.tif 000009
【００３８】
【表９】
0006038317.tif 000010
【００３９】
上記で述べたように、ステップ２２０では、ＵＥ２０は、ステップ２１０で受信されたＲＲＣシグナリングによって示される、ＣＳＩ報告セットにおける各ＣＳＩフィードバック・モードのプリコーディング・コードブック・サブセット制限および／またはランク制限に従って、ＣＳＩフィードバックのランク特性を判断する。各ＣＳＩフィードバック・モードのプリコーディング・コードブック・サブセット制限および／またはランク制限は異なり得るので、ＵＥ２０によって判断されるランク特性はそれに応じて変化し得る。
【００４０】
一実施形態では、プリコーディング・コードブック・サブセット制限および／またはランク制限は、ＣＳＩフィードバック・モードがプリコーディング・コードブック・サブセット制限もランク制限も有さないことを示し、ＵＥ２０は、ＣＳＩフィードバック・モードに対してＵＥ優先ランクを選択する。
【００４１】
別の実施形態では、プリコーディング・コードブック・サブセット制限および／またはランク制限は、ＣＳＩフィードバック・モードが特定のランク（たとえば、「ｅＮＢ優先ランク」とマークされたランク）に制限されるが、プリコーディング・コードブック・サブセット制限を有さないことを示し、ＵＥ２０は、ＣＳＩフィードバック・モードに対して特定のランクを選択する。
【００４２】
別の実施形態では、プリコーディング・コードブック・サブセット制限および／またはランク制限は、ＣＳＩフィードバック・モードがプリコーディング・コードブック・サブセット制限を有するが、ランク制限を有さないことを示し、ＵＥ２０は、利用可能なプリコーディング・コードブック・サブセットに対応するランクの中から、ＣＳＩフィードバック・モードに対してＵＥ優先ランクを選択する。
【００４３】
別の実施形態では、プリコーディング・コードブック・サブセット制限および／またはランク制限は、ＣＳＩフィードバック・モードがプリコーディング・コードブック・サブセット制限を有し、特定のランクに制限されることを示し、ＵＥ２０は、特定のランクと制限によって示される利用可能なプリコーディング・コードブック・サブセットとの間の関係に従って、ＣＳＩフィードバック・モードに対してＣＳＩフィードバックのランクを選択する。利用可能なプリコーディング・コードブック・サブセットが特定のランクを含む場合、ＵＥ２０はＣＳＩフィードバック・モードに対して特定のランクを選択する。特定のランクが利用可能なプリコーディング・コードブック・サブセットにおける最小ランク未満である場合、ＵＥ２０はＣＳＩフィードバック・モードに対して最小ランクを選択する。特定のランクが利用可能なプリコーディング・コードブック・サブセットにおける最大ランクより大きい場合、ＵＥ２０はＣＳＩフィードバック・モードに対して最大ランクを選択する。利用可能なプリコーディング・コードブック・サブセットが特定のランクを含まず、特定のランクが利用可能なプリコーディング・コードブック・サブセットにおける最小ランクと最大ランクとの間である場合、ＵＥ２０はＣＳＩフィードバック・モードに対してＵＥ優先ランクまたは、利用可能なプリコーディング・コードブック・サブセットにおける、特定のランク未満で特定のランクに最も近いランクを選択する。
【００４４】
上記のすべての実施形態では、ＤＣＩシグナリングは、ＣＳＩ要求フィールドの未定義項目を使用することができる。
【００４５】
図２は、本発明の一実施形態による、ＬＴＥモバイル通信ネットワーク内のｅＮＢ１０の構造ブロック図である。図３は、本発明の一実施形態による、ＬＴＥモバイル通信ネットワーク内のＵＥ２０の概略ブロック図である。図２および図３に示すように、ｅＮＢ１０は、処理ユニット１０１０と、送信機（または送受信機）１０２０とを含み、ＵＥ２０は、受信機（または送受信機）２０１０と、処理ユニット２０２０とを含む。
【００４６】
本発明のいくつかの実施形態によれば、ｅＮＢ１０およびＵＥ２０は、ＣｏＭＰで使用される高ランク送信をサポートする。
【００４７】
処理ユニット１０１０は、ＵＥ２０についてのＣＳＩ報告セットを判断するように構成され、ＣＳＩ報告セットは複数のＣＳＩフィードバック・モード（ＣＳＩプロセス）を含む。各ＣＳＩフィードバック・モードは、チャネル測定に使用されるＮＺＰ基準信号リソース部分および干渉測定に使用されるＩＭＲ部分を含むものとして定義されることに留意されたい。
【００４８】
送信機１０２０は、ＵＥ２０にＣＳＩ報告セットを示すＲＲＣシグナリングを送信するように構成される。
【００４９】
いくつかの実施形態では、送信機１０２０は、ＵＥ２０に追加のＤＣＩシグナリングを送信するようにさらに構成され得る。ＵＥ２０に送信されたＲＲＣシグナリングおよび／または追加のＤＣＩシグナリングは、ＣＳＩ報告セットにおける各ＣＳＩフィードバック・モードのプリコーディング・コードブック・サブセット制限および／またはランク制限をさらに示す。
【００５０】
受信機２０１０は、ＣＳＩ報告セットを示すシグナリングを受信するように構成され、ＣＳＩ報告セットは複数のＣＳＩフィードバック・モードを含む。
【００５１】
いくつかの実施形態では、受信機２０１０は、ｅＮＢ１０から追加のＤＣＩシグナリングを受信するようにさらに構成され得る。上記で述べたように、ｅＮＢ１０から受信されたＲＲＣシグナリングおよび／または追加のＤＣＩシグナリングは、ＣＳＩ報告セットにおける各ＣＳＩフィードバック・モードのプリコーディング・コードブック・サブセット制限および／またはランク制限をさらに示す。
【００５２】
処理ユニット２０２０は、ＣＳＩ報告セットにおける各ＣＳＩフィードバック・モードのプリコーディング・コードブック・サブセット制限および／またはランク制限に従って、ＣＳＩフィードバックのランク特性を判断するように構成される。
【００５３】
一実施形態では、ｅＮＢ１０によってＵＥ２０に送信されたＲＲＣシグナリングは、ビットマップ・パラメータ、たとえば、パラメータｃｏｄｅｂｏｏｋＳｕｂｓｅｔＲｅｓｔｒｉｃｔｉｏｎによって、ＣＳＩ報告セットにおける各ＣＳＩフィードバック・モードのプリコーディング・コードブック・サブセット制限をさらに示す。好ましくは、そのようなビットマップ・パラメータは、各ＣＳＩフィードバック・モードについて構成され得る。プリコーディング・コードブックは異なるランクに対応する複数の要素（またはサブセット）を有するので、１より大きいランクに対応する利用可能な要素（サブセット）は高ランク送信のサポートを意味する。上記で説明したように、プリコーディング・コードブック・サブセット制限を有するＣＳＩ報告セットの２つの例示的構成を表１−１および表１−２に示す。
【００５４】
別の実施形態では、ｅＮＢ１０によってＵＥ２０に送信されたＲＲＣシグナリングは、ＣＳＩ報告セットにおける各ＣＳＩフィードバック・モードの有効期間をさらに示す。有効期間は、たとえば、連続サブフレームの数を示す数字によって表される。上記で説明したように、有効期間情報およびプリコーディング・コードブック・サブセット制限を有するＣＳＩ報告セットの例示的構成を表２に示す。
【００５５】
一実施形態では、ｅＮＢ１０によってＵＥ２０に送信されたＲＲＣシグナリングは、ＣＳＩ報告セットにおける各ＣＳＩフィードバック・モードのランク制限をさらに示す。ランク制限は、各ＣＳＩフィードバック・モードの特定のランクに対する制限なしまたは制限を個別に示すことができる。特定のランクについて、たとえば、ランクが１であるとき、ランクは「ｅＮＢ優先ランク」とマークされ得る。上記で説明したように、各ＣＳＩフィードバック・モードのランク制限の例示的構成を表３に示す。
【００５６】
一実施形態では、ｅＮＢ１０によってＵＥ２０に送信された追加のＤＣＩシグナリングは、ＣＳＩ報告セットにおける各ＣＳＩフィードバック・モードのランク制限を示す。上記で説明したように、ＲＲＣシグナリングによって示されるＣＳＩ報告セットの構成およびＤＣＩシグナリングによって示されるＣＳＩ報告セットにおける各ＣＳＩフィードバック・モードに対応するランク制限の構成を表４−１および表４−２に示す。場合によっては、ＤＣＩシグナリングは、ＣＳＩ報告セットにおける各ＣＳＩフィードバック・モードのランク制限を更新するために使用され得る。
【００５７】
別の実施形態では、ｅＮＢ１０によってＵＥ２０に送信されたＲＲＣシグナリングは、ＣＳＩ報告セットにおけるすべてのＣＳＩフィードバック・モードに対する同じランク制限をさらに示す。そのようなランク制限は、制限なしを示すか、またはＣＳＩ報告セットの共通ランクを示すことができ、共通ランクは、たとえば、１である。上記で説明したように、ＣＳＩ報告セットのランク制限の例示的構成を表５−１に示す。
【００５８】
別の実施形態では、ｅＮＢ１０によってＵＥ２０に送信された追加のＤＣＩシグナリングは、ＣＳＩ報告セットにおけるすべてのＣＳＩフィードバック・モードに対する同じランク制限を示す。ランク制限は制限なしを示すか、またはＣＳＩ報告セットの共通ランクを示すことができ、共通ランクは、たとえば、１である。上記で説明したように、ＲＲＣシグナリングによって示されるＣＳＩ報告セットの構成およびＤＣＩシグナリングによって示されるＣＳＩ報告セットのランク制限の構成を表５−２および表５−３に示す。
【００５９】
上記で述べたように、処理ユニット２０２０は、受信されたＲＲＣシグナリングによって示される、ＣＳＩ報告セットにおける各ＣＳＩフィードバック・モードのプリコーディング・コードブック・サブセット制限および／またはランク制限に従って、ＣＳＩフィードバックのランク特性を判断するように構成される。各ＣＳＩフィードバック・モードのプリコーディング・コードブック・サブセット制限および／またはランク制限は異なり得るので、判断されるランク特性はそれに応じて変化し得る。
【００６０】
一実施形態では、プリコーディング・コードブック・サブセット制限および／またはランク制限は、ＣＳＩフィードバック・モードがプリコーディング・コードブック・サブセット制限もランク制限も有さないことを示し、処理ユニット２０２０は、ＣＳＩフィードバック・モードに対してＵＥ優先ランクを選択する。
【００６１】
別の実施形態では、プリコーディング・コードブック・サブセット制限および／またはランク制限は、ＣＳＩフィードバック・モードが特定のランク（たとえば、「ｅＮＢ優先ランク」とマークされたランク）に制限されるが、プリコーディング・コードブック・サブセット制限を有さないことを示し、処理ユニット２０２０は、ＣＳＩフィードバック・モードに対して特定のランクを選択する。
【００６２】
別の実施形態では、プリコーディング・コードブック・サブセット制限および／またはランク制限は、ＣＳＩフィードバック・モードがプリコーディング・コードブック・サブセット制限を有するが、ランク制限を有さないことを示し、処理ユニット２０２０は、利用可能なプリコーディング・コードブック・サブセットに対応するランクの中から、ＣＳＩフィードバック・モードに対してＵＥ優先ランクを選択する。
【００６３】
別の実施形態では、プリコーディング・コードブック・サブセット制限および／またはランク制限は、ＣＳＩフィードバック・モードがプリコーディング・コードブック・サブセット制限を有し、特定のランクに制限されることを示し、処理ユニット２０２０は、特定のランクと制限によって示される利用可能なプリコーディング・コードブック・サブセットとの間の関係に従って、ＣＳＩフィードバック・モードに対してＣＳＩフィードバックのランクを選択する。利用可能なプリコーディング・コードブック・サブセットが特定のランクを含む場合、処理ユニット２０２０はＣＳＩフィードバック・モードに対して特定のランクを選択する。特定のランクが利用可能なプリコーディング・コードブック・サブセットにおける最小ランク未満である場合、処理ユニット２０２０はＣＳＩフィードバック・モードに対して最小ランクを選択する。特定のランクが利用可能なプリコーディング・コードブック・サブセットにおける最大ランクより大きい場合、処理ユニット２０２０はＣＳＩフィードバック・モードに対して最大ランクを選択する。利用可能なプリコーディング・コードブック・サブセットが特定のランクを含まず、特定のランクが利用可能なプリコーディング・コードブック・サブセットにおける最小ランクと最大ランクとの間である場合、処理ユニット２０２０はＣＳＩフィードバック・モードに対してＵＥ優先ランクまたは、利用可能なプリコーディング・コードブック・サブセットにおける、特定のランク未満で特定のランクに最も近いランクを選択する。
【００６４】
上記のすべての実施形態では、ＤＣＩシグナリングは、ＣＳＩ要求フィールドの未定義項目を使用することができる。
【００６５】
本発明の異なる実施形態が上記で示され説明されているが、本発明はこれらの実施形態に限定されない。特許請求の範囲に記載される本発明の趣旨および範囲を逸脱することなく、多くの修正形態、改変形態、変形形態、置換形態および等価形態が当業者に明らかである。
【図１】
0006038317.tif 000011
【図２】
0006038317.tif 000012
【図３】
0006038317.tif 000013